(57)【特許請求の範囲】
【請求項１】
硬貨の両面の画像を取り込む画像取込手段と、
前記画像から硬貨に刻印された年号情報を読み取る読取手段と、
排除対象となる硬貨の年号情報を記憶する記憶手段と、
前記読取手段で読み取った年号情報と前記記憶手段に記憶された年号情報とを比較する比較手段と、
該比較手段の比較結果から前記読取手段で読み取った年号情報が前記記憶手段に記憶された年号情報と一致する硬貨を選別して排除する第１の排除手段と、
前記第１の排除手段とは別に設けられ、前記画像から各金種別のマスタデータのいずれにも所定の一致度以上で一致しない受け入れ不可な硬貨を排除する第２の排除手段と、
を備えたことを特徴とする硬貨処理装置。
【請求項２】
前記記憶手段に記憶された年号情報は、硬貨の年号の範囲を特定する情報であることを特徴とする請求項１に記載の硬貨処理装置。
【請求項３】
前記記憶手段に記憶された年号情報は、元号であることを特徴とする請求項１に記載の硬貨処理装置。
【請求項４】
前記読取手段で読み取った前記年号情報の中の元号につき、元号文字を特定する元号特定手段を備えたことを特徴とする請求項１乃至３の何れか一項記載の硬貨処理装置。
【発明の詳細な説明】
【技術分野】
【０００１】
本発明は、硬貨処理装置に関する。
【背景技術】
【０００２】
投入された硬貨に偽貨が含まれていたとしても、所定の選別穴に確実に落下させるとともに偽貨を確実に排除させることが可能な硬貨選別装置が知られている（例えば、特許文献１参照）。  
【先行技術文献】
【特許文献】
【０００３】
【特許文献１】特開平４−２９３１８９号公報
【発明の概要】
【発明が解決しようとする課題】
【０００４】
しかしながら、上記の硬貨選別装置は、新たな偽貨情報が得られた場合に即座に且つ容易には対応できず、また、特定の旧貨情報に基づいて当該硬貨を特定し選別して排除する必要が生じた場合にも即座に且つ容易に対応することができないという課題が存在する。
【０００５】
したがって、本発明は、新たな偽貨情報が得られた場合や特定の旧貨を排除する必要が生じた場合に即座に且つ容易に対象硬貨を排除可能となる硬貨処理装置の提供を目的とする。
【課題を解決するための手段】
【０００６】
上記目的を達成するために、請求項１に係る発明は、硬貨の両面の画像を取り込む画像取込手段と、該画像取込手段で取り込んだ画像から硬貨に刻印された年号情報を読み取る読取手段と、排除対象となる硬貨の年号情報を記憶する記憶手段と、前記読取手段で読み取った年号情報と前記記憶手段に記憶された年号情報とを比較する比較手段と、該比較手段の比較結果から前記読取手段で読み取った年号情報が前記記憶手段に記憶された年号情報と一致する硬貨を選別して排除する第１の排除手段と、前記第１の排除手段とは別に設けられ、前記画像から各金種別のマスタデータのいずれにも所定の一致度以上で一致しない受け入れ不可な硬貨を排除する第２の排除手段と、を備えたことを特徴とする。
【０００７】
請求項２に係る発明は、請求項１に係る発明において、前記記憶手段に記憶された年号情報は、硬貨の年号の範囲を特定する情報であることを特徴とする。
【０００８】
請求項３に係る発明は、請求項１に係る発明において、前記記憶手段に記憶された年号情報は、元号であることを特徴とする。
【０００９】
請求項４に係る発明は、請求項１乃至３の何れか一項に係る発明において、前記読取手段で読み取った前記年号情報の中の元号につき、元号文字を特定する元号特定手段を備えたことを特徴とする。
【発明の効果】
【００１０】
請求項１に係る発明によれば、画像取込手段で硬貨の両面の画像を取り込むと、読取手段が画像から硬貨に刻印された年号情報を読み取って、比較手段が読取手段で読み取った年号情報と記憶手段に記憶された年号情報とを比較し、この比較結果から排除手段が読取手段で読み取った年号情報が記憶手段に記憶された年号情報と一致する硬貨を選別して排除する。よって、排除対象となる硬貨の年号情報を記憶手段に記憶させれば、新たな偽貨情報が得られた場合や特定の旧貨を排除する必要が生じた場合に即座に且つ容易に対象硬貨を排除可能となる。
【００１１】
請求項２に係る発明によれば、硬貨の年号の範囲を特定する情報である年号情報を記憶手段に記憶するため、特定の年号の範囲の硬貨を対象硬貨として排除可能となる。
【００１２】
請求項３に係る発明によれば、元号である年号情報を記憶手段に記憶するため、特に旧貨を排除する場合に用いて好適となる。
【００１３】
請求項４に係る発明によれば、元号特定手段が、読取手段で読み取った年号情報の中の元号につき、元号文字を特定するため、摩耗や汚れの影響を受けにくくなる。
【図面の簡単な説明】
【００１４】
【図１】参考技術の硬貨処理装置を示す平面図である。
【図２】参考技術の硬貨処理装置の制御系のブロック図である。
【図３】参考技術の硬貨処理装置の画像取込部等を示す側面図である。
【図４】硬貨の一例を示す平面図である。
【発明を実施するための形態】
【００１５】
参考技術の硬貨処理装置を図面を参照して以下に説明する。
【００１６】
図１に示す硬貨処理装置１１は、機外から投入されたバラの硬貨Ｃを識別し、識別結果から受け入れ不可な硬貨Ｃを排除するとともに、受け入れ可能な硬貨Ｃを金種別に選別して収納するものである。
【００１７】
硬貨処理装置１１は、機外からバラの硬貨Ｃが投入されるとともに、投入された硬貨Ｃを一枚ずつに分離して送り出す分離供給機構１２と、分離供給機構１２で送り出された硬貨Ｃを搬送面１４ａ上に受け入れる硬貨搬送路１４と、搬送面１４ａ上の硬貨Ｃをこの搬送面１４ａとで挟持して搬送面１４ａの延在方向に搬送する搬送ベルト機構１５とを有している。硬貨搬送路１４における分離供給機構１２側が硬貨Ｃの搬送方向における上流側となり、分離供給機構１２とは反対側が下流側となる。
【００１８】
分離供給機構１２は、投入された硬貨Ｃを受け入れる図示略の筒状壁部と、筒状壁部の内側下部に配置される回転円盤２１と、この回転円盤２１との間に一枚の硬貨Ｃのみが通過可能な隙間を形成し回転円盤２１の回転による遠心力で硬貨Ｃを一枚ずつ通過させる図示略の規制部とを有している。回転円盤２１は、図２に示す円盤駆動モータ２２に連結されており、この円盤駆動モータ２２で駆動されて回転する。
【００１９】
硬貨搬送路１４は、分離供給機構１２から繰り出された硬貨Ｃを受け入れる上記した搬送面１４ａを有しており、この搬送面１４ａが上記した回転円盤２１の接線方向に延在している。硬貨搬送路１４は、搬送面１４ａの上流側から見て左側に、上流側から順に立設される壁部２３、壁部２４、壁部２５および壁部２６と、搬送面１４ａの上流側から見て右側に、上流側から順に立設される壁部２８、壁部２９、壁部３０、リジェクト壁部３１および基準レール３２とを有している。
【００２０】
壁部２３は、搬送面１４ａの最も上流側に立設されており、搬送面１４ａ側に、回転円盤２１の外周部から延出する側面部２３ａを有している。
【００２１】
壁部２４は、搬送面１４ａ側に、壁部２３の側面部２３ａの下流端の延長上に配置される段差側面部２４ａを有している。この段差側面部２４ａは下流側が搬送面１４ａの幅方向中央に対し離間する段差状をなしている。
【００２２】
壁部２５は、搬送面１４ａ側に、壁部２４の段差側面部２４ａの下流端に連続する側面部２５ａを有している。この側面部２５ａは搬送面１４ａの延在方向に沿っている。
【００２３】
壁部２６は、搬送面１４ａ側に、壁部２５の側面部２５ａの下流端に対し段差状をなして延在する側面部２６ａを有しており、この側面部２６ａは搬送面１４ａの末端位置まで延びている。この側面部２６ａは、側面部２５ａよりも搬送面１４ａの幅方向外側に位置している。
【００２４】
壁部２８は、搬送面１４ａ側に、回転円盤２１の外周部から延出する傾斜側面部２８ａを有している。この傾斜側面部２８ａは、搬送面１４ａの延在方向に対し、下流側ほど搬送面１４ａの幅方向中央に近づくように傾斜し、搬送面１４ａ上を移動する硬貨Ｃに接触してこの硬貨Ｃを案内する。この傾斜側面部２８ａは搬送面１４ａの延在方向における位置を壁部２４の段差側面部２４ａに合わせている。
【００２５】
壁部２９は、搬送面１４ａ側に、壁部２８の傾斜側面部２８ａの下流端に連続する側面部２９ａを有している。この側面部２９ａは、搬送面１４ａの延在方向における位置を壁部２５の側面部２５ａに合わせている。この側面部２９ａは搬送面１４ａの延在方向に沿っている。
【００２６】
壁部３０は、搬送面１４ａ側に、壁部２９の側面部２９ａの下流端に連続する傾斜側面部３０ａを有している。この傾斜側面部３０ａは、搬送面１４ａの延在方向に対し、下流側ほど搬送面１４ａの幅方向中央に近づくように傾斜し、搬送面１４ａ上を移動する硬貨Ｃに接触してこの硬貨Ｃを案内する。この傾斜側面部３０ａは、搬送面１４ａの延在方向における位置を壁部２６の側面部２６ａの上流側の端部に合わせている。
【００２７】
リジェクト壁部３１は、搬送面１４ａ側に、壁部３０の傾斜側面部３０ａの下流端に連続する側面部３１ａを有している。この側面部３１ａは、搬送面１４ａ上を移動する硬貨Ｃに接触してこの硬貨Ｃを案内する。この側面部３１ａは搬送面１４ａの延在方向に沿っている。
【００２８】
基準レール３２は、搬送面１４ａ側に、リジェクト壁部３１の側面部３１ａの延長上に配置される基準側面部３２ａを有している。この基準側面部３２ａは、傾斜側面部３０ａの下流側に設けられ、搬送面１４ａ上を移動する硬貨Ｃに接触してこの硬貨Ｃを案内する。この基準側面部３２ａは搬送面１４ａの延在方向に沿っている。
【００２９】
搬送面１４ａにおける壁部２５および壁部２９の位置には、硬貨Ｃの両面の画像を取り込む画像取込部（画像取込手段）３５が設けられている。この画像取込部３５は、図３の模式図に示すように搬送面１４ａに埋設されて搬送面１４ａ上を移動する硬貨Ｃの下面の画像をスキャンする下面画像識別部３５Ａと、搬送面１４ａの上側に対向配置されて搬送面１４ａ上を移動する硬貨Ｃの上面の画像をスキャンする上面画像識別部３５Ｂとからなっている。ここで、下面画像識別部３５Ａおよび上面画像識別部３５Ｂとしては例えばＣＣＤカメラ等が用いられる。画像取込部３５を構成する下面画像識別部３５Ａおよび上面画像識別部３５Ｂは、図２に示すように制御装置５０に接続されており、制御装置５０は、下面画像識別部３５Ａおよび上面画像識別部３５Ｂの画像データに基づいて、硬貨Ｃが受け入れ可能な硬貨Ｃであるか否かと、受け入れ可能な硬貨Ｃの金種とを識別し、受け入れ可能な硬貨Ｃを金種別に計数する。なお、下面画像識別部３５Ａおよび上面画像識別部３５Ｂの配置は、図３の模式図に囚われるものではなく、後述するように、硬貨Ｃの両面の画像を取り込んで、いずれかの面に刻印されている年号情報を確実に読み取ることができるものであれば、どのような配置構成を採用しても良い。
【００３０】
図１に示すリジェクト壁部３１は、図２に示すロータリソレノイド５１に駆動されて硬貨を振り分けるゲート部（排除手段）５２を構成するものである。リジェクト壁部３１は、ロータリソレノイド５１に駆動されて待機位置とリジェクト位置との間で回転可能であり、待機位置では、側面部３１ａを、壁部３０の傾斜側面部３０ａの下流端と基準レール３２の基準側面部３２ａとを結ぶ線上に位置させ、リジェクト位置では、他の側面部３１ｂを壁部３０の傾斜側面部３０ａおよび基準レール３２の基準側面部３２ａよりも搬送面１４ａの幅方向の中央側に突出させる。
【００３１】
搬送面１４ａにおけるリジェクト壁部３１の下流位置には、制御装置５０で受け入れ不可と識別された硬貨Ｃを落下させるリジェクト孔（排除手段）３７が形成されている。制御装置５０は、画像取込部３５で取り込んだ画像に基づいて受け入れ可能と識別した硬貨Ｃに対しては、ロータリソレノイド５１を駆動せずリジェクト壁部３１を待機位置に位置させることになり、よって、この受け入れ可能な硬貨Ｃは、リジェクト壁部３１の側面部３１ａに案内されて移動する。このとき、リジェクト孔３７は、この側面部３１ａに案内される硬貨Ｃを落下させずに搬送面１４ａの下流側に移動させる。他方、制御装置５０は、画像取込部３５で取り込んだ画像に基づいて受け入れ不可と識別した硬貨Ｃに対しては、ロータリソレノイド５１を駆動してリジェクト壁部３１をリジェクト位置に位置させることになり、よって、この受け入れ不可な硬貨Ｃは、リジェクト壁部３１の側面部３１ｂに案内されて移動する。このとき、リジェクト孔３７は、この側面部３１ｂに案内される硬貨Ｃを搬送面１４ａから落下させる。リジェクト孔３７から落下した硬貨Ｃは図示略のシュートを介して図示略の排除収納箱（あるいはリジェクト口）に排出される。
【００３２】
搬送面１４ａにおけるリジェクト孔３７の下流位置には、上記のように制御装置５０で受け入れ可能と識別され側面部３１ａおよび基準側面部３２ａで案内される硬貨Ｃを搬送面１４ａから落下させる金種別の選別孔４０〜４５が形成されている。つまり、上流側から順に、幅が最も狭く基準側面部３２ａで案内される１円硬貨のみを落下させる選別孔４０、幅が選別孔４０よりも広く基準側面部３２ａで案内される５０円硬貨のみを落下させる選別孔４１、幅が選別孔４１よりも広く基準側面部３２ａで案内される５円硬貨のみを落下させる選別孔４２、幅が選別孔４２よりも広く基準側面部３２ａで案内される１００円硬貨のみを落下させる選別孔４３、幅が選別孔４３よりも広く基準側面部３２ａで案内される１０円硬貨のみを落下させる選別孔４４、幅が最も広く基準側面部３２ａで案内される５００円硬貨のみを落下させる選別孔４５が設けられている。
【００３３】
搬送ベルト機構１５は、搬送面１４ａの上方の上流側および下流側に配置される一対のプーリ４７，４８と、これらプーリ４７，４８に巻き回されることで硬貨Ｃを搬送面１４ａで挟持して搬送する無端の搬送ベルト４９とを備えている。プーリ４８は図２に示すベルト駆動モータ５３に連結されて搬送ベルト４９に駆動力を与える駆動プーリであり、プーリ４７は搬送ベルト４９に連れ回りする従動プーリとなっている。
【００３４】
上記した制御装置５０には、図２に示すように、上記した円盤駆動モータ２２と、画像取込部３５を構成する下面画像識別部３５Ａおよび上面画像識別部３５Ｂと、ロータリソレノイド５１と、ベルト駆動モータ５３とが接続されており、さらに、操作者により設定入力等が入力される操作部５６と、操作者に向けて表示を行う表示部５７と、基準データ等を記憶する記憶部（記憶手段）５８とが接続されている。
【００３５】
記憶部５８には、下面画像識別部３５Ａおよび上面画像識別部３５Ｂで検出された硬貨Ｃの画像データと比較するための基準の金種別のマスタデータが記憶されている。
【００３６】
制御装置５０は、比較制御部（比較手段）６０と、排除制御部（排除手段）６１とを有している。比較制御部６０は、画像取込部３５の下面画像識別部３５Ａおよび上面画像識別部３５Ｂで検出された硬貨Ｃの画像データを、各金種別のマスタデータと比較することで、いずれか一の金種のマスタデータと所定の一致度以上で一致する硬貨Ｃは、受け入れ可能な硬貨Ｃであってこの金種の硬貨であると判定して計数する。このような計数を各金種別に行う。他方、比較制御部６０は、いずれの金種のマスタデータとも所定の一致度以上で一致しない硬貨Ｃは、受け入れ不可な硬貨Ｃであると判定し計数も行わない。比較制御部６０で受け入れ不可と識別した硬貨Ｃに対しては、排除制御部６１が、ロータリソレノイド５１を駆動してリジェクト壁部３１をリジェクト位置に位置させることになり、よって、この受け入れ不可な硬貨Ｃは、リジェクト孔３７から落下し図示略のシュートを介して図示略の排除収納箱に排出される。
【００３７】
そして、参考技術において、制御装置５０は、操作部５６に入力された排除対象となる硬貨の年号情報つまり排除年号情報を記憶部５８に記憶させるようになっている。つまり、制御装置５０は、表示部５７を用いて入力案内がされる設定入力モードにおいて、操作部５６を介して排除年号情報の入力を可能とし、操作部５６を介して排除年号情報が入力されると、これを記憶部５８に記憶させるようになっている。ここで、排除年号情報としては、単年ずつの年号（例えば平成１７年、平成１９年等）の入力は勿論、年号の範囲（例えば昭和６０年以前等）での入力も可能であり、さらには、元号（例えば昭和）での入力も可能となっている。単年の年号が入力されると、制御装置５０は入力された単年の年号を排除年号情報として記憶部５８に記憶させることになり、年号の範囲が入力されるとその範囲の年号すべてを排除年号情報として記憶部５８に記憶させることになり、元号で入力されると元号のみ（年情報は無関係）を排除年号情報として記憶部５８に記憶させることになる。勿論、これらを合わせて記憶させることも可能である。
【００３８】
制御装置５０には、ＯＣＲ部（読取手段）６２が設けられている。ＯＣＲ部６２は、光学式文字読取装置であり、下面画像識別部３５Ａおよび上面画像識別部３５Ｂで検出された硬貨Ｃの画像データから文字情報を読み取り、その中から硬貨Ｃに刻印された図４に示す年号Ｄを抽出する。なお、年号Ｄは硬貨Ｃの片面にしか刻印されていないため、下面画像識別部３５Ａおよび上面画像識別部３５Ｂによる上下両面の画像検出が必要となる。
【００３９】
また、制御装置５０には、ＯＣＲ部６２で読み取った年号情報の中の特に元号につき、元号文字を特定する元号特定手段６３を備えている。比較制御部６０は、ＯＣＲ部６２で読み取った年号Ｄと、記憶部５８に記憶された年号情報とを比較する。排除制御部６１は、比較制御部６０の比較結果から、ＯＣＲ部６２で読み取った年号Ｄに含まれる年号情報が記憶部５８に記憶された排除年号情報と一致する硬貨Ｃを選別して排除する。
【００４０】
つまり、制御装置５０は、画像取込部３５で取り込んだ画像の中からＯＣＲ部６２で読み取った年号Ｄに含まれる年号情報が、記憶部５８に記憶された排除年号情報と一致する硬貨Ｃについては、受け入れ不可と判定し、ロータリソレノイド５１を駆動してリジェクト壁部３１をリジェクト位置に位置させることによって、リジェクト孔３７から落下させ図示略のシュートを介して図示略の排除収納箱に排出させる。
【００４１】
例えば、排除年号情報として単年ずつの年号である「平成１７年」および「平成１９年」が記憶部５８に記憶されている場合、制御装置５０は、画像取込部３５で取り込んだ画像のうちＯＣＲ部６２で読み取った年号Ｄが、記憶部５８に記憶された排除年号情報である「平成１７年」および「平成１９年」の硬貨Ｃについては、受け入れ不可と判定して、リジェクト孔３７から落下させる。
【００４２】
また、排除年号情報として年号の範囲である「昭和６０年以前」が記憶部５８に記憶されている場合、制御装置５０は、画像取込部３５で取り込んだ画像のうちＯＣＲ部６２で読み取った年号Ｄが、記憶部５８に記憶された排除年号情報である「昭和６０年」、「昭和５９年」、「昭和５８年」、「昭和５７年」、…のいずれかである硬貨Ｃについては、受け入れ不可と判定して、リジェクト孔３７から落下させる。
【００４３】
また、排除年号情報として元号である「昭和」が記憶部５８に記憶されている場合、制御装置５０は、画像取込部３５で取り込んだ画像のうちＯＣＲ部６２で読み取った年号Ｄに含まれる元号が、記憶部５８に記憶された排除年号情報である「昭和」である硬貨Ｃについては、受け入れ不可と判定して、リジェクト孔３７から落下させる。
【００４４】
なお、記憶部５８に記憶されている排除年号情報と一致する年号Ｄに含まれる年号情報を有する硬貨Ｃを検出すると、制御装置５０は、表示部５７にその旨を表示させて操作者に注意を促す。
【００４５】
以上に述べた参考技術によれば、下面画像識別部３５Ａおよび上面画像識別部３５Ｂで硬貨Ｃの両面の画像を取り込むと、ＯＣＲ部６２が画像から硬貨に刻印された年号Ｄに含まれる年号情報を読み取って、比較制御部６０が、ＯＣＲ部６２で読み取った年号Ｄに含まれる年号情報と、記憶部５８に記憶された年号情報とを比較し、この比較結果から排除制御部６１がＯＣＲ部６２で読み取った年号Ｄに含まれる年号情報が記憶部５８に記憶された年号情報と一致する硬貨を選別してリジェクト孔３７に排除する。よって、排除対象となる硬貨の年号情報を操作部５６を介した操作入力により記憶部５８に記憶させれば、新たな偽貨情報が得られた場合や特定の旧貨を排除する必要が生じた場合に即座に且つ容易に対象硬貨を排除可能となる。つまり、偽貨は、例えば平成１７年というような固定の年号で複数製造されているので、当該偽貨を排除したい場合には、記憶部５８に平成１７年の年号情報を登録しておけば、当該偽貨を識別した際に排除することが可能になる。また、同様に、昭和６０年というような旧貨の年号情報を記憶部に登録しておけば、旧貨も同様に排除することが可能になる。このように排除した旧貨は市場で流通させないことを目的として回収される。
【００４６】
また、硬貨Ｃの年号Ｄの範囲を特定する情報である年号情報を記憶部５８に記憶するため、特定の年号Ｄの範囲の硬貨を対象硬貨として排除可能となる。つまり、例えば年号情報を昭和６０年以前としても登録すれば、昭和５６年、昭和５７年、…、昭和６０年と個別の年号を登録する煩わしさがなくなる。また、例えば昭和６０年代として登録し、昭和６０年〜６４年の硬貨を排除できても良い。むろん、例えば昭和６０年〜平成元年の範囲として元号がまたがるように登録することも可能である。なお、前記にて年号の「昭和６０年」のうち、昭和と年は省略して数字の「６０」のみを年号情報として登録するようにしても良い。つまりは「年」は各硬貨共通の当たり前の年号情報であり、登録する必要も比較制御部６０で一致確認する必要も全くない。また元号の「昭和」についても登録指定する範囲が平成の年代と重ならないと分かり切っている場合には省略しても良い。
【００４７】
また、元号である年号情報を記憶部５８に記憶するため、特に旧貨を排除する場合に用いて好適となる。つまり、例えば、年号情報を昭和の元号のみとして登録すれば、昭和の年号の硬貨は全て排除できるようになる。
【００４８】
また、元号特定手段６３が、ＯＣＲ部６２で読み取った年号情報の中の元号につき、元号文字を特定するため、摩耗や汚れの影響を受けにくくなる。つまり、年号Ｄの中の例えば６０年といった年数の文字については、摩耗したり汚れていた際に、５か６か８か０か等の区別がつかず正しく認識できない。しかし、元号文字については明らかに「平成」と「昭和」のように文字の構成が似ている箇所が無いため、例えば「昭和」の少なくともほんの一部の箇所が正しく読み出されれば「昭和」元号を特定する元号特定手段を備えていることにより、摩耗したり汚れていても年号Ｄを特定して使用できるので便利になる。
【００４９】
なお、硬貨処理装置１１としては、上記参考技術のように機外の硬貨を機内へ受け入れて収納する入金機以外にも、機外の硬貨を受け入れて選別した後に機外へ排出する整理機や、機内の硬貨を機外へ放出する出金機や、さらには機内の硬貨を自己精査可能な入出金複合機等、すべての硬貨処理装置に適用可能である。要は、整理計数時や入金時や出金時や自己精査時での識別の際に、特定の硬貨（偽貨や旧貨）を選別して排除できる構成であれば良い。
【００５０】
さらに、参考技術においては、一つのリジェクト壁部３１と、これを駆動する一つのロータリソレノイドと、一つのリジェクト孔３７（および図示略の排除収納箱）とによって一つの排除手段を構成しているが、前記したように、この排除手段においては、いずれの金種のマスタデータとも所定の一致度以上で一致しない硬貨Ｃを、受け入れ不可な硬貨Ｃであると判定し計数も行わずに、リジェクト孔３７から落下させるように、排除制御部６１が制御を行っており、排除対象となる硬貨の年号情報を操作部５６を介した操作入力により記憶部５８に記憶させて、同じ排除手段によって、排除させるようにした場合に、受け入れ不可の硬貨Ｃであるのか、年号情報に基づく排除対象の硬貨Ｃであるのか、不明となる恐れが起こりうる。本発明の実施形態では、リジェクト壁部３１と、これを駆動するロータリソレノイドと、リジェクト壁部によって硬貨が排除されるリジェクト孔（および排除収納箱）によって構成される排除手段を、さらにもう一組設けることで、一方の排除手段によって受け入れ不可の硬貨Ｃを排除し、他方の排除手段によって年号情報に基づく排除対象の硬貨Ｃを排除する。このように構成することで、年号情報に基づく排除対象の硬貨Ｃを確実に排除することができる。
【符号の説明】
【００５１】
１１  硬貨処理装置
３５  画像取込部（画像取込手段）
３７  リジェクト孔（排除手段）
５２  ゲート部（排除手段）
５８  記憶部（記憶手段）
６０  比較制御部（比較手段）
６１  排除制御部（排除手段）
６２  ＯＣＲ部（読取手段）
Ｃ  硬貨
Ｄ  年号
【図１】
0005883671.tif 000002
【図２】
0005883671.tif 000003
【図３】
0005883671.tif 000004
【図４】
0005883671.tif 000005